(57)【要約】【課題】  電池の取り出しが容易化された電池収納構造を得ること。【解決手段】  電池収納部２とこの電池収納部に回動可能に配置された電池取出しレバー１０とを備え、電池収納部２は切欠部３を備え、電池取出しレバー１０は切欠部３に嵌合可能な第１片部１１とこの第１片部に連設された第２片部１２とを備え、電池収納部２に電池Ｂを収納した際に、電池取出しレバー１０は、第１片部１１が電池収納部２の切欠部３の箇所に位置し且つ第２片部１２は当該電池の下部に位置するように形成され、電池収納部２に収納した電池Ｂは、電池取出しレバー１０の第１片部１１を押して当該電池取出しレバーを回動させることにより、第２片部１２に押圧されて電池収納部２から押し出される電池収納構造である。【選択図】  図１７
2018190616.tif 000002
【特許請求の範囲】
【請求項１】
電池（Ｂ）を収納するケース（１）に設けられた電池収納部（２）と、この電池収納部（２）に回動可能に配置された電池取出しレバー（１０）とを備え、
前記電池収納部（２）は、その側壁の一部を切り欠いて形成される切欠部（３）を備え、
前記電池取出しレバー（１０）は、前記切欠部（３）に嵌合可能な第１片部（１１）と、この第１片部（１１）に連設された第２片部（１２）とを備え、
さらに、前記電池収納部（２）に電池（Ｂ）を収納した際に、前記電池取出しレバー（１０）は、前記第１片部（１１）が前記電池収納部（２）の前記切欠部（３）の箇所に位置するとともに、前記第２片部（１２）は当該電池の下部に位置するように形成され、
前記電池収納部（２）に収納した電池（Ｂ）は、前記電池取出しレバー（１０）の前記第１片部（１１）を押して当該電池取出しレバーを回動させることにより、前記第２片部（１２）に押圧されて前記電池収納部（２）から押し出されるように構成したことを特徴とする電池収納構造。
【請求項２】
前記電池取出しレバー（１０）は、その両端に一対の軸部（１３）を備え、この一対の軸部（１３）を、軸部固定具（２０）にて、前記電池収納部（２）に回動可能に取り付けたことを特徴とする請求項１記載の電池収納構造。
【請求項３】
前記電池収納部（２）に、前記一対の軸部（１３）を各別に収容する窪み部（４）を設け、前記一対の軸部（１３）を前記窪み部（４）に嵌合するとともに、この軸部（１３）を、前記軸部固定具（２０）の固定部（２１）にて前記窪み部（４）に回動可能に取り付けたことを特徴とする請求項２記載の電池収納構造。
【請求項４】
前記電池収納部（２）に、前記一対の軸部（１３）に対応させてボス部（５）を設け、このボス部（５）に前記軸部固定具（２０）を設けたことを特徴とする請求項２記載の電池収納構造。
【請求項５】
前記電池収納部（２）は電池二本を並列に収納する一対の上部収納部（２ａ）と、この一対の上部収納部（２ａ）の一方の下部に電池一本を収納する下部収納部（２ｂ）を備え、前記電池取出しレバー（１０）は、前記下部収納部（２ｂ）に設けられていることを特徴とする請求項１記載の電池収納構造。
【発明の詳細な説明】
【技術分野】
【０００１】
本発明は、電池収納構造に係り、装着した電池の取り出しが容易化される電池収納構造に関する。
【背景技術】
【０００２】
玩具や時計などの装置一般に乾電池が多用されており、通常、電池はケースなどに設けられた電池収納部に装着されている。電池収納部は、電池とプラスマイナス極との接触・導通を確実にし、また、その収納を確保するために、マイナス側の極にコイルスプリングを配置して、電池が恒常的に長手方向に押圧付勢されている。
【０００３】
電池は円筒形のものが多く、電池を取り出す際に指先や爪などで取り出し難いという課題がある。これを解決するものとして、特許第２９７２６６３号公報に記載されているように、電池収納部の凹部に、この凹部を横切って帯状のリボンを配置し、必要に応じて当該リボンの先端を引張って電池を取り出すもの（特許文献１）が提案されている。
【０００４】
また、特開２０１３−１２３４８号公報に記載されているように、電池収納部に電池と非当接になる空間を設け、そして電池と当接する部位と非当接の部位との境界を支点として、電池を非当接の部位の方向に押圧し、この非当接の部位に対応する電池の部分を揺動させて、もう一方の側の電池を電池収納部から外部へ突出させて電池を取り出すもの（特許文献２）も提案されている。
【０００５】
一方、特開平０９−３０６４５７号公報に記載されているように、電池収納部に配される電池の、プラス側の電極を受けるプラス側端子を回動式の端子板に形成するとともに、その端子板の下側の部位を直角に形成して、端子板とその直角部との間に回転支点となるピンを配置して構成し、必要に応じて当該端子板を押圧してピンを中心に回転させ、電池を斜めに押し上げて取り出すもの（特許文献３）も提案されている（特許文献３）。
【先行技術文献】
【特許文献】
【０００６】
【特許文献１】特許第２９７２６６３号公報
【特許文献２】特開２０１３−１２３４８号公報
【特許文献３】特開平０９−３０６４５７号公報
【発明の概要】
【発明が解決しようとする課題】
【０００７】
前記特許文献１の電池収納部の凹部を横切って帯状のリボンを配置するものは、リボンの一端部を接着などでケースに取り付けなければならないため、作業に工数を要し、場合によってはリボンが電池の下側に留まって電池を取り出すことが困難となる不都合を生じる。
【０００８】
また、特許文献２の電池収納部に電池と非当接になる空間を設けるものは、収納スペースを別途に必要となり、電池収納部の小型化にそぐわない不都合を生じる。
【０００９】
さらに特許文献３のプラス側端子を回動式の端子板に形成するものは、回動するものが端子であるため電気的導通に問題を生じる恐れがあり、電池収納構造自体の信頼性を毀損する不都合を生じる。
【００１０】
そこで本発明は、簡易な構成の電池取出しレバーを設けるだけの簡単な構造で、確実に電池を取り出すことができ、しかも省スペース化が図られ、電気的導通にも支障をきたさない電池収納構造を得ることを目的とするものである。
【課題を解決するための手段】
【００１１】
本願第１請求項に記載した発明は、実施例で用いた符号を付して記すと、電池Ｂを収納するケース１に設けられた電池収納部２と、この電池収納部２に回動可能に配置された電池取出しレバー１０とを備え、
前記電池収納部２は、その側壁の一部を切り欠いて形成される切欠部３を備え、
前記電池取出しレバー１０は、前記切欠部３に嵌合可能な第１片部１１と、この第１片部１１に連設された第２片部１２とを備え、
さらに、前記電池収納部２に電池Ｂを収納した際に、前記電池取出しレバー１０は、前記第１片部１１が前記電池収納部２の前記切欠部３の箇所に位置するとともに、前記第２片部１２は当該電池の下部に位置するように形成され、
前記電池収納部２に収納した電池Ｂは、前記電池取出しレバー１０の前記第１片部１１を押して当該電池取出しレバーを回動させることにより、前記第２片部１２に押圧されて前記電池収納部２から押し出されるように構成したことを特徴とする電池収納構造である。
【００１２】
本願第２請求項に記載した発明は、前記電池取出しレバー１０は、その両端に一対の軸部１３を備え、この一対の軸部１３を、軸部固定具２０にて、前記電池収納部２に回動可能に取り付けたことを特徴とする請求項１記載の電池収納構造である。
【００１３】
本願第３請求項に記載した発明は、前記電池収納部２に、前記一対の軸部１３を各別に収容する窪み部４を設け、前記一対の軸部１３を前記窪み部４に嵌合するとともに、この軸部１３を、前記軸部固定具２０の固定部２１にて前記窪み部４に回動可能に取り付けたことを特徴とする請求項２記載の電池収納構造である。
【００１４】
本願第４請求項に記載した発明は、前記電池収納部２に、前記一対の軸部１３に対応させてボス部５を設け、このボス部５に前記軸部固定具２０を設けたことを特徴とする請求項２記載の電池収納構造である。
【００１５】
本願第５請求項に記載した発明は、前記電池収納部２は電池二本を並列に収納する一対の上部収納部２ａと、この一対の上部収納部２ａの一方の下部に電池一本を収納する下部収納部２ｂを備え、前記電池取出しレバー１０は、前記下部収納部２ｂに設けられていることを特徴とする請求項１記載の電池収納構造である。
【発明の効果】
【００１６】
本願第１請求項に記載した発明によれば、電池収納部に収納された電池は、電池取出しレバーの第１片部を指などで押して当該電池取出しレバーを回動させることにより、電池は、第２片部に押圧されて、電池収納部から容易に押し出される。
【００１７】
一般に電池収納部は、上述したように、マイナス側の極にコイルスプリングが配置されており、電池が恒常的に長手方向に押圧付勢されているので、上記のように第２片部にて電池が押圧されると、電池の当該押圧箇所が持ち上がり、同時にコイルスプリングのばね性を利用して、つまり押圧付勢力と相俟って、電池収納部から容易に押し出されることになる。
【００１８】
本願第２請求項に記載した発明は、電池取出しレバーはその両端に一対の軸部を備えるとともに、この一対の軸部を、軸部固定具にて、電池収納部に回動可能に取り付けているので、上述した電池取出しレバーの第１片部を指などで押して当該電池取出しレバーを回動させることが容易化される。
【００１９】
また、本願第３請求項に記載した発明のように、電池収納部に、前記一対の軸部を各別に収容する窪み部を設けて、前記一対の軸部を前記窪み部に嵌合するとともに、この軸部を、前記軸部固定具の固定部にて前記窪み部に回動可能に取り付けると、電池取出しレバーの保持およびその回転が確実になされ得ることになる。
【００２０】
さらに、本願第４請求項に記載した発明のように、電池収納部に、前記一対の軸部に対応させてボス部を設け、このボス部に前記軸部固定具を設ければ、電池取出しレバーの装着などの実施が、より省スペースにて行うことができる。
【００２１】
とりわけ本願第５請求項に記載した発明のように、電池収納部は電池二本を並列に収納する一対の上部収納部と、この一対の上部収納部の一方の下部に電池一本を収納する下部収納部を備えて、前記電池取出しレバーが、前記下部収納部に設けられるように構成した場合は、このような三本の電池を上下に配置して特に下部の電池の指などによる取り出しが困難となるような事態においても、当該電池の取り出しを容易化することができるものである。
【図面の簡単な説明】
【００２２】
【図１】本発明の実施例に係り、ケースに設けられた電池収納部を示す平面図である。
【図２】本発明の実施例に係り、図１の電池収納部を示す斜視模式図である。
【図３】本発明の実施例に係り、図１のＡ−Ａ線断面図である。
【図４】本発明の実施例に係り、図１のＢ−Ｂ線断面図である。
【図５】本発明の実施例に係り、図４の電池収納部を示す縦断模式図である。
【図６】本発明の実施例に係り、図１のＣ−Ｃ線断面図である。
【図７】本発明の実施例に係り、電池非装着状態の電池収納部を示す平面図である。
【図８】本発明の実施例に係り、図７の電池収納部を示す斜視模式図である。
【図９】本発明の実施例に係り、図８における電池取出しレバーの箇所を示す斜視模式図である。
【図１０】本発明の実施例に係り、電池収納部を示す底面図である。
【図１１】本発明の実施例に係り、図１０の電池収納部を示す模式図である。
【図１２】本発明の実施例に係り、軸部固定具の他の例を示す斜視図である。
【図１３】本発明の実施例に係り、電池取出しレバーを示す斜視図である。
【図１４】本発明の実施例に係り、電池取出しレバーを示す平面図である。
【図１５】本発明の実施例に係り、電池取出しレバーを示す側面図である。
【図１６】本発明の実施例に係り、電池三本装着用の電池収納部において底部に一本のみ装着した状態を示す斜視模式図である。
【図１７】本発明の実施例に係り、図１５に示す電池取出しレバーの箇所における縦断模式図である。
【図１８】本発明の実施例に係り、電池取出しレバーを備えた電池収納部から電池を取り出す状態を示す図で、（１）は指先を電池取出しレバーの第１片部に当接した状態、（２）はこの第１片部を押している状態、（３）は電池取出しレバーの第２片部に押し出された電池を指で把持している状態である。
【発明を実施するための形態】
【００２３】
以下に、本発明の実施例を図面（図１〜図１８）に基づいて説明する。本例の電池収納構造は、電池Ｂを収納するケース１に設けられた電池収納部２と、この電池収納部２に回動可能に配置された電池取出しレバー１０とを備えて構成される。
【００２４】
この実施例では、単４の乾電池を用い、上部に電池Ｂ（Ｂ１）を二本、下部に電池Ｂ（Ｂ２）を一本装着する形式の電池収納部２（２ａ，２ｂ）であって、これら三本の電池Ｂ（Ｂ１，Ｂ２）のうち二本の電池Ｂ（Ｂ１，Ｂ２）は重ねた状態で収納される態様のものである。上部の二本の電池Ｂ１は、指で容易に取る（外す）ことができるが、電池収納部の下方に位置する下部の電池Ｂ２は取り出しが困難である。そこで、本例の電池取出しレバー１０は、取出し困難である下部の電池Ｂ２の取り出しを容易化するべく、電池収納部２ｂの下部に設けている。
【００２５】
本例において、下部の電池収納部２ｂは、その側壁の一部を切り欠いて切欠部３を形成する（例えば図８、図９、図１６参照）。この切欠部３には、電池取出しレバー１０の後述する第１片部１１が嵌着脱するので、切欠部３と第１片部１１は、相互に対応する大きさに形成するのが好ましい。
【００２６】
電池取出しレバー１０は、前述した第１片部１１と、この第１片部１１に連設された第２片部１２とを備える（例えば図７〜図９参照）。
【００２７】
さらに、好ましくは、電池取出しレバー１０の両端に一対の軸部１３を備える（例えば図１３〜図１５参照）。そして、電池取出しレバー１０はこの一対の軸部１３を支点にして回動可能に設けられている。この一対の軸部１３は、軸部固定具２０にて、電池収納部２に回動可能に取り付けられる（図１０参照）。
【００２８】
他方、電池収納部２には、前記一対の軸部１３を各別に収容する窪み部４を設け、これら一対の軸部１３を窪み部４に嵌合するとともに、この軸部１３を、軸部固定具２０の固定部２１にて、窪み部４に回動可能に取り付けている。本例では、電池収納部２に、前記一対の軸部１３に対応させてボス部５を設け、このボス部５に軸部固定具２０を設けている（図１１参照）。なお、図１０は電池収納部を示す底面図、図１１は図１０の電池収納部を示す模式図であり、これらの図から明らかなように、ボス部５は下方（図では上方向）へ突設され、軸部固定具２０は下方から上方（図では上から下方向）へ向けてボス部５に設けられている。そして、軸部１３は、下方に向けて開口する窪み部４に収容されるが、軸部１３は軸部固定具２０の固定部２１にて、窪み部４に保持される。
【００２９】
なお、上記実施例の軸部固定具２０は座付きねじであり、その固定部２１は座であるが、この軸部固定具２０は、例えば図１２に示すように、頭部に鍔２２を設けたブラッシュクリップや、その他、プッシュリベットなど、適宜の固定具を用いることができる。
【００３０】
電池取出しレバー１０の第１片部１１は、電池Ｂ２が電池収納部２に装着されているときは切欠部３に嵌入される箇所に位置している。このとき、第２片部１２は、電池Ｂ２の下端に当接する箇所に位置するように設けられている。このようにして、本例では、電池収納部２に電池Ｂを収納した際に、電池取出しレバー１０は、その第１片部１１が電池収納部２の切欠部３の箇所に位置するとともに、第２片部１２は当該電池の下部に位置するように形成されている（図１６、図１７参照）。
【００３１】
上記のように構成される本例の電池収納部２において、この電池収納部２ｂに収納した電池Ｂ２は、電池取出しレバー１０の第１片部１１を指などで押して当該電池取出しレバーを回動させることにより、第２片部１２に押圧されて、電池収納部２から押し出される（図１８参照）。
【００３２】
電池収納部２は、通常の電池収納部と同様に、マイナス側の極にコイルスプリング６を配置して、電池Ｂが恒常的に長手方向に押圧付勢されているので、上記のように第２片部１２にて電池Ｂ２が押圧されると、電池の当該押圧箇所が持ち上がり、同時にコイルスプリング６ｂの押圧付勢力と相俟って、電池収納部２ｂから容易に押し出される。本例のようにマイナス側に配置したコイルスプリング６のばね性を利用して電池Ｂ２の取り出しを容易化する場合は、電池Ｂ２の先端部の下側に第２片部１２が位置するように電池取出しレバー１０を設けると効果的である。
【００３３】
上述した本実施例の電池収納構造によれば、電池収納部に収納された電池は、電池取出しレバーの第１片部を指などで押して当該電池取出しレバーを回動させることにより、電池は、第２片部に押圧されて、電池収納部から容易に押し出される。とりわけ複数本の電池を電池収納部に装着し奥側の電池が存在するような場合は、指や爪では取り出しが困難であっても、本例の電池取出しレバーを用いることにより、容易に装着電池を取り出すことができるものとなる。したがって、本発明の電池取出しレバーを利用すれば、電池収納部の奥側に電池を装着することおよびその取り出しが容易化されるので、電池収納構造のより一層の省スペース化を図ることができるものである。
【００３４】
以上説明したように、本例の電池収納構造は、電池取り出しの容易化という利点を備え且つ構造的にも合理的に構成されたものである。なお、本例における各部の構成は、特許請求の範囲に記載した技術的範囲において適宜に設計変更が可能であり、図例説明したものに限定されないことは勿論である。
【産業上の利用可能性】
【００３５】
本発明は、電池を用いて作動する装置において、その電池の収納構造一般に好適に利用することが可能である。
【符号の説明】
【００３６】
１    ケース
２    電池収納部
２ａ    上部の電池収納部
２ｂ    下部の電池収納部
３    切欠部
４    窪み部
５    ボス部
６    コイルスプリング
６ａ    上部のコイルスプリング
６ｂ    下部のコイルスプリング
１０    電池取出しレバー
１１    第１片部
１２    第２片部
１３    軸部
２０    軸部固定具
２１    固定部（座付きねじの座）
２２    固定部（ブラッシュクリップの鍔）
Ｂ    電池
Ｂ１    上部の電池
Ｂ２    下部の電池
【図１】
2018190616.tif 000003
【図２】
2018190616.tif 000004
【図３】
2018190616.tif 000005
【図４】
2018190616.tif 000006
【図５】
2018190616.tif 000007
【図６】
2018190616.tif 000008
【図７】
2018190616.tif 000009
【図８】
2018190616.tif 000010
【図９】
2018190616.tif 000011
【図１０】
2018190616.tif 000012
【図１１】
2018190616.tif 000013
【図１２】
2018190616.tif 000014
【図１３】
2018190616.tif 000015
【図１４】
2018190616.tif 000016
【図１５】
2018190616.tif 000017
【図１６】
2018190616.tif 000018
【図１７】
2018190616.tif 000019
【図１８】
2018190616.tif 000020